(57)【要約】【課題】  アンテナ形成済シート、インターポーザーおよび離型シートを簡易に接着させることができ、また接着剤層を形成するために必要な接着剤の量を少なくすることができるインターポーザーの実装方法およびインターポーザー実装済シートを提供すること。【解決手段】  アンテナ形成済シート２０におけるアンテナ２２側の表面の略全域に接着剤層３０を形成する。アンテナ形成済シート２０上に形成された接着剤層３０上にインターポーザー１０を接着させる。インターポーザー１０の拡大電極１２とアンテナ形成済シート２０のアンテナ２２とを電気的に接続させる。アンテナ形成済シート２０上の接着剤層３０上にインターポーザー１０を介して離型シート４０を載置することによりインターポーザー実装済シートを製造する。【選択図】  図１
2006209283.tif 000002
【特許請求の範囲】
【請求項１】
第１非導電層と、この第１非導電層上に設けられた導電性のアンテナとを有するアンテナ形成済シート上に、第２非導電層と、この第２非導電層上に設けられた導電性の拡大電極と、拡大電極上に設けられたＩＣチップとを有するインターポーザーを実装するインターポーザーの実装方法において、
アンテナ形成済シートのアンテナ側の表面の略全域に接着剤層を形成する工程と、
アンテナ形成済シート上に形成された接着剤層上にインターポーザーを接着させる工程と、
インターポーザーの拡大電極とアンテナ形成済シートのアンテナとを電気的に接続させる工程と、
アンテナ形成済シート上の接着剤層にインターポーザーを介して離型シートを載置する工程と、
を備えたことを特徴とするインターポーザーの実装方法。
【請求項２】
接着剤をアンテナ形成済シートのアンテナ側の表面の略全域に塗布することにより、接着剤層をアンテナ形成済シート上に形成することを特徴とする請求項１記載のインターポーザーの実装方法。
【請求項３】
離型シート部分と、この離型シート部分上に設けられた接着剤層部分とを有する接着剤転写シートを準備する工程を更に備え、
接着剤転写シートをアンテナ形成済シートのアンテナ側の表面の略全域に載置し、この接着剤転写シートの接着剤層部分をアンテナ形成済シートに転写することにより、接着剤層をアンテナ形成済シート上に形成することを特徴とする請求項１記載のインターポーザーの実装方法。
【請求項４】
基材シート部分と、この基材シート部分の両面にそれぞれ設けられた接着剤層部分とを有する接着剤両面シートを準備する工程を更に備え、
接着剤両面シートをアンテナ形成済シートのアンテナ側の表面の略全域に載置し、この接着剤両面シートを接着剤層として用いることを特徴とする請求項１記載のインターポーザーの実装方法。
【請求項５】
第１非導電層と、この第１非導電層上に設けられた導電性のアンテナとを有するアンテナ形成済シートと、
アンテナ形成済シートのアンテナ側の表面の略全域に形成された接着剤層と、
第２非導電層と、この第２非導電層上に設けられた導電性の拡大電極と、拡大電極上に設けられたＩＣチップとを有し、接着剤層上に接着されたインターポーザーと、を備え、
インターポーザーの拡大電極とアンテナ形成済シートのアンテナとが電気的に接続され、
アンテナ形成済シート上の接着剤層にインターポーザーを介して離型シートが設けられることを特徴とするインターポーザー実装済シート。
【請求項６】
接着剤層は、基材シート部分と、この基材シート部分の両面にそれぞれ設けられた接着剤層部分とを有する接着剤両面シートからなることを特徴とする請求項５記載のインターポーザー実装済シート。
【発明の詳細な説明】
【技術分野】
【０００１】
本発明は、インターポーザーをアンテナ形成済シート上に実装するインターポーザーの実装方法およびこの実装方法により得られるインターポーザー実装済シートに関する。
【背景技術】
【０００２】
第１非導電層と、この第１非導電層上に設けられた導電性のアンテナとを有するアンテナ形成済シート上に、第２非導電層と、この第２非導電層上に設けられた導電性の拡大電極と、拡大電極上に設けられたＩＣチップとを有するインターポーザーを実装するインターポーザーの実装方法としては、例えばカシメ工程による実装方法が知られている。図５は、カシメ工程によりインターポーザー１０をアンテナ形成済シートに実装する際のインターポーザー１０およびアンテナ形成済シート２０の縦断面図である。
【０００３】
このインターポーザーの実装方法においては、まず、インターポーザー１０およびアンテナ形成済シート２０を準備し、インターポーザー１０の一方の面に非導電性の接着剤を塗布することにより、一の接着剤層７０をインターポーザー１０上に形成する。
そして、アンテナ形成済シート２０上にこの接着剤層７０を介してインターポーザー１０を載置することにより、当該インターポーザー１０をアンテナ形成済シート２０上に接着させる。次に、インターポーザー１０の拡大電極１２に対して上方からカシメ刃（図５の鎖線部分参照）を強く押圧してインターポーザー１０の拡大電極１２とアンテナ形成済シート２０のアンテナ２２とを接続させる。
【０００４】
その後、図５に示すように、アンテナ形成済シート２０におけるインターポーザー１０側の表面の略全域に更に非導電性の接着剤を塗布することにより、他の接着剤層７１をアンテナ形成済シート２０上にインターポーザー１０を介して形成する。最後に、この接着剤層７１に離型シート４０を載置し、このことによりインターポーザー実装済シートが形成される。このインターポーザー実装済シートは、離型シート４０を剥がすことによって接着剤層７１により取り付け対象物に接着させることができる。
【発明の開示】
【発明が解決しようとする課題】
【０００５】
しかしながら、上述のインターポーザーの実装方法においては、インターポーザー１０とアンテナ形成済シート２０とを接着させるためにまず一の接着剤層７０を設け、さらにアンテナ形成済シート２０上にインターポーザー１０を介して離型シート４０を接着させるために他の接着剤層７１を設ける必要がある。すなわち、接着剤層を形成する工程が２回必要となっているので全体的なインターポーザー１０の実装方法が複雑なものとなり、また接着剤層７０，７１を形成するために必要な接着剤の量が多くなってしまうという問題がある。
【０００６】
本発明は、このような点を考慮してなされたものであり、アンテナ形成済シート、インターポーザーおよび離型シートを簡易に接着させることができ、また接着剤層を形成するために必要な接着剤の量を少なくすることができるインターポーザーの実装方法およびインターポーザー実装済シートを提供することを目的とする。
【課題を解決するための手段】
【０００７】
本発明は、第１非導電層と、この第１非導電層上に設けられた導電性のアンテナとを有するアンテナ形成済シート上に、第２非導電層と、この第２非導電層上に設けられた導電性の拡大電極と、拡大電極上に設けられたＩＣチップとを有するインターポーザーを実装するインターポーザーの実装方法において、アンテナ形成済シートのアンテナ側の表面の略全域に接着剤層を形成する工程と、アンテナ形成済シート上に形成された接着剤層上にインターポーザーを接着させる工程と、インターポーザーの拡大電極とアンテナ形成済シートのアンテナとを電気的に接続させる工程と、アンテナ形成済シート上の接着剤層にインターポーザーを介して離型シートを載置する工程と、を備えたことを特徴とするインターポーザーの実装方法である。
このようなインターポーザーの実装方法によれば、１つの接着剤層を、アンテナ形成済シートとインターポーザーとの接合およびアンテナ形成済シートと離型シートとの接合の両方に兼用させることができる。このため、当該接着剤層を形成する工程を１回のみとすることができるので、インターポーザーをより簡易に実装させることができ、また接着剤層を形成するために必要な接着剤の量を少なくすることができる。
【０００８】
本発明のインターポーザーの実装方法においては、接着剤をアンテナ形成済シートのアンテナ側の表面の略全域に塗布することにより、接着剤層をアンテナ形成済シート上に形成することが好ましい。
あるいは、離型シート部分と、この離型シート部分上に設けられた接着剤層部分とを有する接着剤転写シートを準備する工程を更に備え、接着剤転写シートをアンテナ形成済シートのアンテナ側の表面の略全域に載置し、この接着剤転写シートの接着剤層部分をアンテナ形成済シートに転写することにより、接着剤層をアンテナ形成済シート上に形成することが好ましい。
あるいは、基材シート部分と、この基材シート部分の両面にそれぞれ設けられた接着剤層部分とを有する接着剤両面シートを準備する工程を更に備え、接着剤両面シートをアンテナ形成済シートのアンテナ側の表面の略全域に載置し、この接着剤両面シートを接着剤層として用いることが好ましい。
このようなインターポーザーの実装方法によれば、接着剤層を容易かつ確実にアンテナ形成済シート上の略全面に形成することができる。
【０００９】
本発明は、第１非導電層と、この第１非導電層上に設けられた導電性のアンテナとを有するアンテナ形成済シートと、アンテナ形成済シートのアンテナ側の表面の略全域に形成された接着剤層と、第２非導電層と、この第２非導電層上に設けられた導電性の拡大電極と、拡大電極上に設けられたＩＣチップとを有し、接着剤層上に接着されたインターポーザーと、を備え、インターポーザーの拡大電極とアンテナ形成済シートのアンテナとが電気的に接続され、アンテナ形成済シート上の接着剤層にインターポーザーを介して離型シートが設けられることを特徴とするインターポーザー実装済シートである。
このようなインターポーザー実装済シートによれば、１つの接着剤層を、アンテナ形成済シートとインターポーザーとの接合およびアンテナ形成済シートと離型シートとの接合の両方に兼用させることができる。このため、当該インターポーザー実装済シートを製造する際に、接着剤層を形成する工程を１回のみとすることができるので、インターポーザーをより簡易に実装させることができ、また接着剤層を形成するために必要な接着剤の量を少なくすることができる。
【００１０】
本発明のインターポーザー実装済シートにおいては、接着剤層は、基材シート部分と、この基材シート部分の両面にそれぞれ設けられた接着剤層部分とを有する接着剤両面シートからなることが好ましい。
このようなインターポーザー実装済シートによれば、接着剤層を容易かつ確実にアンテナ形成済シート上の略全面に形成されたものとすることができる。
【発明の効果】
【００１１】
本発明のインターポーザーの実装方法およびインターポーザー実装済シートによれば、１つの接着剤層を、アンテナ形成済シートとインターポーザーとの接合およびアンテナ形成済シートと離型シートとの接合の両方に兼用させることができる。このため、当該接着剤層を形成する工程を１回のみとすることができるので、インターポーザーをより簡易に実装させることができ、また接着剤層を形成するために必要な接着剤の量を少なくすることができる。
【発明を実施するための最良の形態】
【００１２】
以下、図面を参照して本発明の実施の形態について説明する。図１は、本実施の形態のインターポーザーの実装方法を説明する斜視図であり、図２は、図１のインターポーザーおよびアンテナ形成済シートのＡ−Ａ矢視縦断面図であり、図３は、本実施の形態に用いられる接着剤転写シートを示す縦断面図である。
【００１３】
まず、本発明によるインターポーザー実装済シートについて、図２により説明する。
図２に示すように、本発明によるインターポーザー実装済シートは、第１非導電層２１と、この第１非導電層２１上に設けられた導電性のアンテナ２２とを有するアンテナ形成済シート２０と、アンテナ形成済シート２０のアンテナ２２側の表面の略全域に形成された接着剤層３０と、第２非導電層１１と、この第２非導電層１１上に設けられた導電性の拡大電極１２と、拡大電極１２上に設けられたＩＣチップ１３とを有し、接着剤層３０上に接着されたインターポーザー１０と、を備えている。このインターポーザー実装済シートにおいて、インターポーザー１０の拡大電極１２とアンテナ形成済シート２０のアンテナ２２とが電気的に接続され、また、アンテナ形成済シート２０上の接着剤層３０にインターポーザー１０を介して離型シート４０が設けられている。
【００１４】
次に、このようなインターポーザー実装済シートの製造方法について述べる。
最初に、インターポーザー１０およびアンテナ形成済シート２０の準備工程について説明する。
【００１５】
この準備工程においては、例えば紙、樹脂等からなる非導電性の第１非導電層２１の片面に、アルミニウムまたは銅等からなる金属箔、あるいは導電インキ等の導電性のアンテナ２２を形成することにより、第１非導電層２１と、アンテナ２２とを有するアンテナ形成済シート２０を製造する。
【００１６】
一方、合成樹脂シートからなる非導電性の第２非導電層１１の片面に、アルミニウムまたは銅等からなる金属箔、あるいは導電ペースト等の導電性の拡大電極１２を形成し、さらに、この拡大電極１２上にＩＣチップ１３を実装することにより、第２非導電層１１と、拡大電極１２と、ＩＣチップ１３とを有するインターポーザー１０を製造する。
【００１７】
次に、図１および図２を用いてインターポーザー１０をアンテナ形成済シート２０に実装する実装工程について説明する。
【００１８】
まず、図１および図２に示すように、アンテナ形成済シート２０におけるアンテナ２２側の表面の略全域に非導電性の接着剤層３０を形成する。
具体的には、スプレーやグラビアコートによって、接着剤をアンテナ形成済シート２０の表面の略全域に塗布することにより、接着剤層３０がアンテナ形成済シート２０上に形成される。
【００１９】
あるいは、図３に示すように、離型シート部分３１ａと、この離型シート部分３１ａ上に設けられた接着剤層部分３１ｂとを有する接着剤転写シート３１を予め準備しておき、接着剤転写シート３１の接着剤層部分３１ｂ側の表面とアンテナ形成済シート２０のアンテナ２２側の表面とが接合するよう当該接着剤転写シート３１をアンテナ形成済シート２０上に載置する。そして、この接着剤転写シート３１上の接着剤層部分３１ｂをアンテナ形成済シート２０上に転写することにより、接着剤層３０がアンテナ形成済シート２０上に形成される。
【００２０】
次に、アンテナ形成済シート２０上に形成された接着剤層３０上にインターポーザー１０を接着させる。この際、図２に示すようにインターポーザー１０におけるＩＣチップ１３側の表面をアンテナ形成済シート２０上の接着剤層３０に接着させてもよく、あるいはインターポーザー１０の裏面（ＩＣチップ１３が設けられていない面）を接着剤層３０に接着させてもよい。
【００２１】
そして、インターポーザー１０がアンテナ形成済シート２０上の接着剤層３０に接着された状態で、インターポーザー１０の拡大電極１２と、アンテナ形成済シート２０のアンテナ２２とを電気的に接合する。
拡大電極１２をアンテナ２２に電気的に接合させる方法としては、例えば拡大電極１２に対して上方からカシメ刃（図２の鎖線部分参照）を強く押圧するカシメ工程による方法、加熱されたカシメ刃を用いることによりインターポーザー１０の第２非導電層１１および接着剤層３０を融解させる熱カシメ工程による方法、拡大電極１２に対して上方からレーザー光を照射することにより第２非導電層１１および接着剤層３０を分解させるレーザー接合工程による方法等、あるいは超音波ローラ等によって超音波振動を与えて第２非導電層１１および接着剤層３０を除去する超音波接合工程による方法等が用いられる。
【００２２】
そして、アンテナ形成済シート２０上の接着剤層３０にインターポーザー１０が接着された状態で、当該インターポーザー１０を介して接着剤層３０上に離型シート４０を載置し、このことによりインターポーザー実装済シートが形成される。
最後に、帯状のインターポーザー実装済シートをインターポーザー１０毎に切断することにより、個々のインターポーザー実装済シートが形成される。インターポーザー１０毎に切断されたインターポーザー実装済シートは、離型シート４０を剥がすことによって接着剤層３０により取り付け対象物に接着させることができる。
【００２３】
以上のように本実施の形態のインターポーザー１０の実装方法によれば、アンテナ形成済シート２０上にインターポーザー１０を載置する前に、アンテナ形成済シート２０におけるアンテナ２２側の表面の略全域に接着剤層３０を予め形成している。このため、従来のインターポーザー１０の実装方法では接着剤層を形成する工程が２回必要であったのに対し、本実施の形態では、１つの接着剤層３０を、アンテナ形成済シート２０とインターポーザー１０との接合およびアンテナ形成済シート２０と離型シート４０との接合の両方に兼用させることができる。このため、接着剤層３０を形成する工程を１回のみとすることができるので、インターポーザー１０をより簡易に実装させることができ、また接着剤層３０を形成するために必要な接着剤の量を少なくすることができる。
【００２４】
また、接着剤をアンテナ形成済シート２０におけるアンテナ２２側の表面の略全域に塗布することにより、あるいは離型シート部分３１ａおよび接着剤層部分３１ｂを有する接着剤転写シート３１をアンテナ形成済シート２０におけるアンテナ２２側の表面の略全域に載置してこの接着剤転写シート３１の接着剤層部分３１ｂをアンテナ形成済シート２０に転写することにより、接着剤層３０を容易かつ確実にアンテナ形成済シート２０上の略全面に形成することができる。
【００２５】
本実施の形態のインターポーザー１０の実装方法により形成されたインターポーザー実装済シートによれば、１つの接着剤層３０を、アンテナ形成済シート２０とインターポーザー１０との接合およびアンテナ形成済シート２０と離型シート４０との接合の両方に兼用させることができる。このため、当該インターポーザー実装済シートを製造する際に、接着剤層３０を形成する工程を１回のみとすることができるので、インターポーザー１０をより簡易に実装させることができ、また接着剤層３０を形成するために必要な接着剤の量を少なくすることができる。
【００２６】
本発明によるインターポーザー１０の実装方法およびインターポーザー実装済シートは、上記の態様に限定されるものではなく、様々の変更を加えることができる。
次に本発明によるインターポーザーの実装方法およびインターポーザー実装済シートの変形例につき、図４により説明する。図４において、図１および図２に示す実施の形態と同一部分には同一符号を付して詳細な説明を省略する。
図４に示すように、接着剤層３０として基材シート部分３２ａと、この基材シート部分３２ａの両面にそれぞれ設けられた接着剤層部分３２ｂ，３２ｂとを有する接着剤両面シート３２を用いてもよい。
【００２７】
この変形例においては、まず、図４に示すような基材シート部分３２ａと、この基材シート部分３２ａの両面にそれぞれ設けられた接着剤層部分３２ｂ，３２ｂとを有する接着剤両面シート３２を準備する。
ここで、基材シート部分３２ａは、ＰＥＴ基材あるいは不織布等からなり、接着剤層部分３２ｂ，３２ｂが剥離しないよう構成されている。
そして、接着剤両面シート３２をアンテナ形成済シート２０におけるアンテナ２２の表面の略全域に載置し、接着剤両面シート３２の一方の接着剤層部分３２ｂをアンテナ形成済シート２０の表面に接着させる。このことにより、当該接着剤両面シート３２を、アンテナ形成済シート２０とインターポーザー１０とを接合させるとともにアンテナ形成済シート２０と離型シート４０とを接合させる接着剤層３０として用いることができる。
【００２８】
このようなインターポーザー１０の実装方法およびインターポーザー実装済シートによれば、接着剤層３０として接着剤両面シート３２を用いているので、当該接着剤層３０を容易かつ確実にアンテナ形成済シート２０上の略全面に形成することができる。
【図面の簡単な説明】
【００２９】
【図１】本実施の形態のインターポーザーの実装方法を説明する斜視図である。
【図２】図１のインターポーザーおよびアンテナ形成済シートのＡ−Ａ矢視縦断面図である。
【図３】本実施の形態に用いられる接着剤転写シートを示す縦断面図である。
【図４】本実施の形態の変形例に用いられる接着剤両面シートを示す縦断面図である。
【図５】従来のインターポーザーをアンテナ形成済シートに実装する際のインターポーザーおよびアンテナ形成済シートの縦断面図である。
【符号の説明】
【００３０】
１０    インターポーザー
１１    第２非導電層
１２    拡大電極
１３    ＩＣチップ
２０    アンテナ形成済シート
２１    第１非導電層
２２    アンテナ
３０    接着剤層
３１    接着剤転写シート
３１ａ  剥離シート部分
３１ｂ  接着剤層部分
３２    接着剤両面シート
３２ａ  基材シート部分
３２ｂ  接着剤層部分
４０    離型シート
７０    一の接着剤層
７１    他の接着剤層
【図１】
2006209283.tif 000003
【図２】
2006209283.tif 000004
【図３】
2006209283.tif 000005
【図４】
2006209283.tif 000006
【図５】
2006209283.tif 000007